(57)【要約】【課題】光学装置用ドライブユニットにおける開口部（光学装置の光学筐体側の従動手段との駆動連結用）への水滴の侵入によるショートや腐食を回避することができる光学装置用ドライブユニットおよび光学装置を提供する。【解決手段】光学装置における光学筐体側の従動手段と連結される駆動手段を有する光学装置用ドライブユニットであって、前記連結のための開口部を外装面に備える筐体と、前記筐体に設けられ、前記外装面を介した前記開口部への水滴の流れを前記開口部と異なる領域へ誘導する誘導部と、を有する。【選択図】図３
2016065911.tif 000002
【特許請求の範囲】
【請求項１】
光学装置における光学筐体側の従動手段と連結される駆動手段を有する光学装置用ドライブユニットであって、
前記連結のための開口部を外装面に備える筐体と、
前記筐体に設けられ、前記外装面を介した前記開口部への水滴の流れを前記開口部と異なる領域へ誘導する誘導部と、
を有することを特徴とする光学装置用ドライブユニット。
【請求項２】
前記誘導部は、前記筐体の外装面にあって、鉛直方向に関し前記開口部の上方に設けられることを特徴とする請求項１に記載の光学装置用ドライブユニット。
【請求項３】
前記誘導部は、前記開口部における外装面より膨らんだ突起部で形成されることを特徴とする請求項２に記載の光学装置用ドライブユニット。
【請求項４】
前記筐体の内部に外部から侵入した前記水滴を前記筐体の外へ導く排水口が設けられ、前記排水口は前記筐体の外装面にあって、鉛直方向に関し前記誘導部の上方に設けられることを特徴とする請求項１乃至３のいずれか１項に記載の光学装置用ドライブユニット。
【請求項５】
鉛直方向に関し、前記排水口と前記誘導部の間に前記開口部における外装面より凹んだ逃げ部が形成されることを特徴とする請求項４に記載の光学装置用ドライブユニット。
【請求項６】
駆動用スイッチと、前記筐体と前記駆動用スイッチの間の隙間から侵入する前記水滴を一時的に貯める保持部材と、を前記筐体の外装面に有し、前記保持部材に貯まった前記水滴を前記排水口へ排水する排水部材を前記筐体の内部に有することを特徴とする請求項４または５に記載の光学装置用ドライブユニット。
【請求項７】
前記光学装置における前記光学筐体は、レンズ光学系を備えるレンズ装置におけるレンズ筐体であることを特徴とする請求項１乃至６のいずれか１項に記載の光学装置用ドライブユニット。
【請求項８】
前記駆動手段は、前記レンズ装置のフォーカス駆動、ズーム駆動、アイリス駆動の少なくとも一つを行うことを特徴とする請求項７に記載の光学装置用ドライブユニット。
【請求項９】
請求項１乃至８のいずれか１項に記載の光学装置用ドライブユニットを備えた光学装置。
【発明の詳細な説明】
【技術分野】
【０００１】
本発明は光学装置用ドライブユニットおよび光学装置に関し、特にレンズ駆動用のドライブユニットを有するレンズ装置に好適なものである。
【背景技術】
【０００２】
従来、レンズ装置用ドライブユニットを備えたレンズ装置で、駆動スイッチ（操作スイッチ）としてズームシーソースイッチを用いた構造の技術が開示されている（特許文献１）。
【先行技術文献】
【特許文献】
【０００３】
【特許文献１】特開２０１１−１０７２７０号公報
【発明の概要】
【発明が解決しようとする課題】
【０００４】
しかしながら、従来のレンズ装置では、以下に述べるような問題点が生じていた。レンズ装置用ドライブユニットの駆動手段としての駆動ギアと、レンズ筐体の外装面に設けられた従動手段としての操作ギアは、以下のように連結（螺合結合）されている。このとき、駆動ギアは、レンズ装置用ドライブユニットの筐体に設けられた開口部より一部をレンズ筐体側に露出して操作ギアと螺合結合する。
【０００５】
雨天時の撮影では、レンズ装置用ドライブユニットにおける筐体の外装面を介して水滴が流れ、開口部よりレンズ装置用ドライブユニットにおける筐体の内部に侵入する。すると、レンズ装置用ドライブユニットにおける筐体の内部に設けられる駆動用制御回路や駆動用アクチュエータの電気接点部に水滴が到達し、ショートや腐食を起こしてレンズの駆動が困難となり、撮影に支障をきたす可能性があった。
【０００６】
本発明の目的は、光学装置用ドライブユニットにおける開口部（光学装置の光学筐体側の従動手段との駆動連結用）への水滴の侵入によるショートや腐食を回避することができる光学装置用ドライブユニットおよび光学装置を提供することにある。
【課題を解決するための手段】
【０００７】
上記目的を達成するため、本発明に係る光学装置用ドライブユニットは、光学装置における光学筐体側の従動手段と連結される駆動手段を有する光学装置用ドライブユニットであって、前記連結のための開口部を外装面に備える筐体と、前記筐体に設けられ、前記外装面を介した前記開口部への水滴の流れを前記開口部と異なる領域へ誘導する誘導部と、を有することを特徴とする。
【０００８】
また、本発明に係る光学装置は、上記光学装置用ドライブユニットを有することを特徴とする。
【発明の効果】
【０００９】
本発明によれば、光学装置用ドライブユニットにおける開口部（光学装置の光学筐体側の従動手段との駆動連結用）への水滴の侵入によるショートや腐食を回避することができる光学装置用ドライブユニットおよび光学装置を提供することができる。
【図面の簡単な説明】
【００１０】
【図１】本発明の実施形態に係る光学装置用ドライブユニットを有する光学装置としての  レンズ装置の概要を表した概要図である。
【図２】本発明の実施形態に係る光学装置用ドライブユニットの概要を表した概要図である。
【図３】本発明の第１の実施形態に係る光学装置用ドライブユニットの断面での概要を表した概要図である。
【図４】本発明の第１の実施形態に係る光学装置用ドライブユニットの外装面の概要を表した概要図である。
【図５】本発明の第２の実施形態に係る光学装置用ドライブユニットの断面での概要を表した概要図である。
【図６】第２の実施形態に係る光学装置用ドライブユニットの外装面の概要を表した概要図である。
【発明を実施するための形態】
【００１１】
以下に、本発明の実施形態を、添付の図面に基づいて詳細に説明する。
【００１２】
《第１の実施形態》
（光学装置および光学装置用ドライブユニット）
図１は、本発明の実施形態に係る光学装置用ドライブユニットを有する光学装置としてのレンズ装置の外観の概要を示す概要図である。図１に示すように、光学装置（レンズ装置）における光学筐体（レンズ筐体）としての鏡胴１００を手で保持するための光学装置用ドライブユニットとしてのドライブユニット２００が、鏡胴１００側面（右側側面）に取り付けられている。
【００１３】
鏡胴１００には、前方(物体側)から中間部にかけてフォーカス操作リング１、ズーム操作リング２、アイリス操作リング３が光軸を中心に回転自在に設けられている。また、鏡胴１００の後方（像面側）には、鏡胴１００内に内包するレンズ光学系としての変倍レンズ群（不図示）をレンズ装置の光軸に挿脱する挿脱レバー４と、レンズ装置を撮像素子を備えたカメラ装置（不図示）に取り付けるためのマウント５が設けられている。
【００１４】
フォーカス操作リング１は、表面にギヤ部６とフォーカス目盛７を、そしてズーム操作リング２は表面にギヤ部８とズーム目盛９を、さらにアイリス操作リング３は表面にギヤ部１０とアイリス目盛１１を有している。鏡胴１００のドライブユニット２００と反対側面の斜め上方には、フォーカス操作リング１、ズーム操作リング２、アイリス操作リング３それぞれの目盛のための指標線１２、１３、１４が設けられている。
【００１５】
一方、ドライブユニット２００の筐体１５は、操作者がレンズ装置を保持するためのグリップ形状を成している。筐体１５の表面には、フォーカス操作のモーター駆動／手動の切替レバー１６と、ズーム操作を行うシーソースイッチ１７、ズーム操作のモーター駆動／手動の切替レバー１８が設けられている。更には、アイリス操作の自動／手動の切替スイッチ１９、及び切替スイッチ１９が手動側の時に一時的に自動露出するスイッチ２０が設けられている。また、筐体１５のカメラ装置側の面には、撮影録画の開始と停止を行うＶＴＲスイッチ２１が設けられている。
【００１６】
撮影者が光学装置としてのレンズ装置を肩に担いで撮影する場合は、右手でドライブユニット２００を握ってレンズ装置全体を保持し、切替レバー１６を手動側にして左手で鏡胴１００のフォーカス操作リング１を回してフォーカス操作を行う。撮影中のフォーカス位置を確認したい場合は、指標線１２に対するフォーカス目盛７の数値を確かめながら行う。
【００１７】
レンズ装置及びテレビカメラを三脚に固定する場合は、切替レバー１６をモーター駆動側とし、ドライブユニット２００と接続ケーブル（図示せず）で接続されたフォーカス操作ユニット（図示せず）で遠隔操作する。但し、三脚に固定された状態でも、切替レバー１６を手動側にすれば、フォーカス操作リング１で手動操作可能である。
【００１８】
ズーム操作は、切替レバー１８を手動側にして、左手でズーム操作リング２を回して手動操作する。ズーム位置を確認したい場合は、指標線１３に対するズーム目盛９の数値を確かめながら行う。ズーム操作は、ズーム操作リング２の代わりに切替レバー１８をモーター駆動側にして、右手でシーソースイッチ１７を操作してモーター駆動によって行うことも可能である。
【００１９】
また、アイリス操作は、カメラ装置側からの露出量指令により自動露出するか、或いはアイリス操作リング３を回して手動操作するかを切替スイッチ１９で選択する。手動選択の時は、スイッチ２０を押すことで一時的に自動露出することができる。また、撮影状況に応じて、変倍レンズ群を挿脱レバー４により切替え、撮影倍率を変更することができる。
操作者は、このようにしてレンズ装置を操作し、ＶＴＲスイッチ２１を押すことにより撮影録画開始、又は停止を行う。
【００２０】
（光学装置用ドライブユニットの内部構成）
次に、光学装置用ドライブユニットとしてのドライブユニット２００の内部構成について詳細に説明する。図２は、本発明の実施形態に係る光学装置用ドライブユニットの概要を表した概要図である。ドライブユニット２００の筐体１５の内部には、鏡胴１００の各種の操作リングをそれぞれ電動駆動するための駆動モーターと制御基板が内包されている。駆動手段としてのフォーカスモーター２２は駆動ギヤ２３を有し、駆動ギヤ２３は筐体１５の後述するフォーカス駆動用の開口部から鏡胴１００側に露出して、フォーカス操作リング１のギヤ部（従動ギヤ部）６に噛合されている。
【００２１】
また、位置検出用のロータリーエンコーダ２４はギヤ２５を有し、アイドルギヤ２６を介してギヤ部６と噛合している。同様に、ズームモーター２７のギヤ２８は筐体１５の後述するズーム駆動用の開口部から鏡胴１００側に突出して、ズーム操作リング２のギヤ部（従動ギヤ部）８と噛合し、ロータリーエンコーダ２９のギヤ３０はアイドラギヤ３１を介してギヤ部８と噛合している。
【００２２】
更に、アイリスモーター３２のギヤ３３は、筐体１５の後述するアイリス駆動用の開口部から鏡胴１００側に突出してアイリス操作リング３のギヤ部（従動ギヤ部）１０と噛合する。また、ロータリーエンコーダ３４のギヤ３５は、アイドルギヤ３６を介してギヤ部１１と噛合している。
【００２３】
そして、制御基板３７は、各種のロータリーエンコーダの出力値をモニターしながら、それぞれのモーターを駆動制御し、また上述したＶＴＲスイッチ２１、シーソースイッチ１７、切替スイッチ１９、スイッチ２０からの入力に応じた制御を行う。
【００２４】
(光学装置の操作)
次に、操作者が操作ユニットを用いて、光学装置としてのレンズ装置を操作する場合について説明する。操作者が、フォーカス操作ユニット（図示せず）、及びズーム操作ユニット（図示せず）、或いはシーソースイッチ１７を操作すると、それぞれの操作量に応じた出力値が制御基板３７に伝達される。出力値は、フォーカス操作ユニット、及びズーム操作ユニット、或いはシーソースイッチ１７それぞれに内包された可変抵抗器等の操作位置検出センサ（図示せず）からの出力である。
【００２５】
制御基板３７は、ロータリーエンコーダ２４、２９から鏡胴１００内に内包されたフォーカス移動レンズ群（図示せず）と、ズーム移動レンズ群（図示せず）の光軸方向の現在の位置を読み取り、出力値に応じた移動量を算出する。次に、算出された移動量に応じてフォーカスモーター２２、ズームモーター２７を駆動する。
【００２６】
フォーカスについては、フォーカスモーター２２からギヤ２３とギヤ部６を介してフォーカス移動レンズ群が駆動され、所定の位置に移動する。ズームについては、ギヤ２８とギヤ部８を介して、ズーム移動レンズ群を所定の位置に移動する。また、制御基板３７は、ロータリーエンコーダ３４から鏡胴１００内のアイリス機構（図示せず）の絞り径を読み取り、カメラ装置側から制御基板３７に伝達される自動露出信号の入力値に応じた絞り径を算出する。次に、算出された絞り径に応じて、アイリスモーター３４を駆動して、ギヤ３３とギヤ部１０を介して所定の絞り径に変更する。
【００２７】
操作者が手動で操作する場合は、切替レバー１６，１８を手動側に切り替える。このとき、フォーカスモーター２２のギヤ２３とズームモーター２７のギヤ２８がそれぞれ駆動軸方向に移動し、ギヤ部６、ギヤ部８との噛合関係が分離される。同時に、制御基板３７はフォーカスモーター２２、ズームモーター２７への駆動指令を停止する。ギヤ部６、８に駆動伝達されないため、これで操作者は意図する位置にフォーカス操作リング１、ズーム操作リング２を操作することができる。
【００２８】
また、切替スイッチ１９をマニュアル側に切り替えると、制御基板３７はアイリスモーター３２への駆動指令を停止し、操作者は意図する絞り径にアイリス操作リング３を用いて変更することができる。このとき、スイッチ２０を押すと、制御基板３７は一時的に自動露出信号によるアイリス制御を行い、アイリスモーター３２へ駆動指令を出して絞り径を変更する。
【００２９】
（駆動連結のための開口部と、該開口部への水滴侵入を抑制する誘導部）
図３は、本実施形態の構成を有する鏡胴１００とドライブユニット２００を、カメラ装置側からズーム操作リング２の部分で切断した断面の状態を示す概要図である。筐体１５のアイドラギヤ３１は、鏡胴１００側に設けられた開口部としてのズーム開口部３８よりギヤ歯面を露出し、ズーム操作リング２のギヤ部８と噛合している。また、図示していないが、ズームモーター２７のギヤ２８もギヤ部８と螺合するために、ズーム開口部３８より歯面を露出させている。
【００３０】
図３、図４に示すように、鉛直方向でズーム開口部３８の上方には、該開口部への水滴侵入を抑制する誘導部として、筐体１５の外装面より鏡胴１００側に突出し、且つギヤ部８と接触しない高さで突起部３９が設けられている。突起部３９は、筐体１５を形成する部材、例えばマグネシウム合金やアルミニウム合金などによる筐体材料の一部を成した形状か、或いは筐体１５の外装面に取り付けられた別部材、例えば樹脂材やゴム材により形成される。
【００３１】
図３で、筐体１５の上面にある駆動用スイッチとしてのシーソースイッチ１７の周囲には、シーソースイッチ１７を保持する保持部材としてのスイッチケース４０が設けられている。スイッチケース４０は、筐体１５とシーソースイッチ１７の間の隙間から侵入する水滴を一時的に貯めるが、スイッチケース４０の底面には排水口４２が設けられ、排水口４２より排水される。具体的には、排水部材としてのドレインホース４１が、筐体１５の内部に内包され、筐体１５の鏡胴１００側の外装面に向けてスイッチケース４０側の排水口４２と筐体１５の外装面の排水口４３を接続している。
【００３２】
ここで、排水口４３は、筐体１５の外装面において、鉛直方向で突起部３９の上方に設けられている。また、アイドラギヤ３１の下方には、外部接続基板４４と、外部接続基板４４の下面に実装され、且つ筐体１５の下方外装面より突出した外部接続コネクタ４５が構成されている。外部接続コネクタ４５は、フォーカス操作ユニット（不図示）やズーム操作ユニット（不図示）と接続して、外部接続基板４４を介してそれぞれの操作ユニットと制御基板３７を通信可能とし、制御基板３７はそれぞれの操作量に応じて各レンズ群を駆動する。
【００３３】
図４は、本実施形態の構成を有するドライブユニット２００の筐体１５の外装面を、鏡胴１００側から示した概要図である。図４では、図３のようにズーム開口部３８の内部よりギヤ２８とアイドラギヤ３１の歯面が露出している。なお、ズーム開口部３８は、ギヤ２８がモーター駆動と手動の切替により駆動軸方向への移動する時の移動量を確保した開口幅を有している。また、突起部３９は、鉛直方向でズーム開口部３８と排水口４３の間に配置され、且つ両側はズーム開口部３８の上方周囲を囲う形に形成されている。
【００３４】
また、フォーカスに関しても同様で、フォーカスモーター２２のギヤ２３とアイドラギヤ２６がギヤ部６と螺合するためのフォーカス開口部４６が筐体１５の外装面に設けられている。更に、鉛直方向でフォーカス開口部４６の上方周囲には、フォーカス開口部４６への水滴侵入を抑制する誘導部としての突起部４７が形成されている。突起部４７は、筐体１５の外装面より鏡胴１００側に突出し、且つギヤ部８と接触しない高さで突起が設けられている。ここで、フォーカス開口部４６は、ギヤ２３がモーター駆動と手動の切替により駆動軸方向への移動する時の移動量を確保した開口幅を有している。
【００３５】
また、アイリスに関しても同様で、アイリスモーター３２のギヤ３３とアイドラギヤ３６がギヤ部１０と螺合するためのアイリス開口部４８が筐体１５の外装面に設けられている。そして、鉛直方向でアイリス開口部４８の上方周囲には、アイリス開口部４８への水滴侵入を抑制する誘導部としての突起部４９が形成されている。突起部４９は、筐体１５の外装面より鏡胴１００側に突出し、且つギヤ部１０と接触しない高さで突起が設けられている。
【００３６】
雨天時の撮影においては、レンズ装置の鏡胴１００やドライブユニット２００に雨水の水滴が付着する。特に、ドライブユニット２００は、撮影中にズーム操作や他のスイッチ類の操作を行う必要があるため、雨除けのカバーなどで全て覆うことが困難で、筐体１５の外装面に水滴が付き易い。そして、シーソースイッチ１７のスイッチケース４０内にも水滴が侵入するが、侵入した水滴はスイッチケース４０の底面にある排水口４２からドレインホース４１を介して排水口４３より筐体１５の外装面に排水される。
【００３７】
排水された水滴は、筐体１５の外装面を伝って、鉛直方向で排水口４３の下方にある誘導部としての突起部３９まで到達する。ここで、水滴は、突起部３９の高さを超えて下方には流れず、突起部の形状に沿って突起部両側のどちらかの端まで導かれる。そして、端から再び筐体１５の外装面を伝って（介して）鉛直方向で下方へ流れる。
【００３８】
また、筐体１５の外装面を、上方より伝って直に各開口部方向へ流れる水滴は、フォーカスの場合はフォーカス開口部４６の上方周囲に設けられた突起部４７により上方からの水滴を突起部４７の端まで導き、フォーカス開口部４６への侵入を防止（抑制）する。また、アイリスも同様に、アイリス開口部４８の上方周囲に設けられた突起部４９により、アイリス開口部４８への水滴の侵入を防止（抑制）する。
【００３９】
以上のように、本実施形態では、それぞれの開口部に設けられた突起部により上方から水滴が流れる方向が定められるため、水滴を各開口部と異なる領域へ誘導することで、各開口部への水滴の侵入を避けることができる。そして、これにより筐体内部に内包された駆動用制御回路や電気接続部に水滴が到達することによって起きるショートや腐食を防止（抑制）できる。
【００４０】
《第２の実施形態》
次に、本発明の第２の実施形態について説明する。図５は、本実施形態の構成を有する鏡胴とドライブユニットを、カメラ装置側から鏡胴のズーム操作リングの部分で切断した断面の状態を示す概要図である。なお、先に説明した図と同一部分には同一符号を付しており、それぞれの機能の説明については省略する。
【００４１】
本実施形態が、第１の実施形態と異なる点は、ドライブユニット３００の筐体５０が構成されている点である。アイドラギヤ３１は、鏡胴１００側に設けられたズーム開口部５１よりギヤ歯面を露出し、ズーム操作リング２のギヤ部８と噛合している。また図示していないが、ズームモーター２７のギヤ２８もギヤ部８と螺合するためにズーム開口部３８より歯面を露出させている。
【００４２】
ズーム開口部５１の上側には、筐体５０の外装面より鏡胴１００側に突出し、且つギヤ部８と接触しない高さで、ズーム開口部５１への水滴侵入を抑制する誘導部としての突起部５２が設けられている。本実施形態では、更に鉛直方向で突起部５２の上側に、筐体５０の外装面より一部凹んだ形状を成す溝部５３が設けられている。
【００４３】
図６は、本実施形態の構成を有するドライブユニット３００の筐体５０の外装面を、鏡胴１００側から示した概要図である。なお、先に説明した図と同一部分には同一符号を付しており、それぞれの機能の説明については省略する。図６において、ズーム開口部５１の内部よりギヤ２８とアイドラギヤ３１の歯面が露出している。なお、ズーム開口部５１は、ギヤ２８がモーター駆動と手動の切替により駆動軸方向への移動する時の移動量を確保した開口幅を有している。また、突起部５２と溝部５３は、ズーム開口部５１と排水口４３の間に配置され、且つ両側はズーム開口部５１の上方周囲を囲う形に形成される。
【００４４】
本実施形態で、シーソースイッチ１７のスイッチケース４０内に水滴が侵入すると、排水口４２、ドレインホース４１を介して排水口４３より筐体５０の外装面に排水される。そして、筐体５０の外装面を伝って排水口４３の下方にある溝部５３まで伝わり、さらに突起部５２に到達する。ここで水滴は、溝部５３から突き出た突起部５２の高さを超えて下方には流れず、突起部５２の形状に沿って突起部５２の両側のどちらかの端まで導かれる。そして、端から再び筐体５０の外装面を伝って（介して）鉛直方向で下方へ流れる。
【００４５】
以上のように、本実施形態では、溝部を鉛直方向で突起部の上側へ設けることで突起部の高さを増すことができるため、鉛直方向で上方より開口部に侵入しようとする水滴を更に抑えることができる。なお、図６ではズームの開口部について説明したが、フォーカスやアイリスの開口部にも、同様の突起部と溝部を設けることで同じ効果が得られる。
【００４６】
（変形例）
以上、本発明の好ましい実施形態について説明したが、本発明はこれらの実施形態に限定されず、その要旨の範囲内で種々の変形及び変更が可能である。上述した実施形態では、鉛直方向で開口部の真上に開口部への水滴侵入を抑制する誘導部、排水口を設けたが、これらを鉛直方向で斜め上方に設けることもできる。
【符号の説明】
【００４７】
１５・・筐体、３８・・ズーム開口部、３９・・突起部、１００・・鏡胴、２００・・ドライブユニット
【図１】
2016065911.tif 000003
【図２】
2016065911.tif 000004
【図３】
2016065911.tif 000005
【図４】
2016065911.tif 000006
【図５】
2016065911.tif 000007
【図６】
2016065911.tif 000008